(57)【要約】【課題】構成の簡素化を図りつつ、水平力に対する耐力を高める。【解決手段】建物１０は、互いに離間して配置され各々に屋内空間が形成されている第１構造部２１及び第２構造部２２を有し、それら各構造部２１，２２の上面部には水平構面が形成されている。第１構造部２１及び第２構造部２２の間となる中間部２３には、中間部２３の屋根部として、各構造部２１，２２の一方から他方に架け渡されて、トラス構造を有する屋根ユニット５１が設けられている。屋根ユニット５１は、その両側の各端部が各構造部２１，２２の水平構面の上に載置された状態で固定されている。【選択図】      図４
2014163173.tif 000002
【特許請求の範囲】
【請求項１】
互いに離間して配置され各々に屋内空間が形成される第１構造部及び第２構造部を有し、
それら各構造部の上面部には水平構面が形成されており、
前記第１構造部及び前記第２構造部の間となる中間部には、当該中間部の屋根部として、トラス構造を有し、前記各構造部の一方から他方に架け渡される屋根ユニットが設けられており、
前記屋根ユニットは、その両側の各端部が前記各構造部の水平構面の上に載置された状態で固定されていることを特徴とする建物。
【請求項２】
前記屋根ユニットの上面及び下面のいずれかに水平構面が形成されており、
前記各構造部の水平構面と前記屋根ユニットの水平構面とが連続していることを特徴とする請求項１に記載の建物。
【請求項３】
前記第１構造部及び前記第２構造部には、その周縁部となる位置に、鉛直荷重を支える鉛直構造部材が設けられており、
前記屋根ユニットにおいてその両側の各端部は前記鉛直構造部材の上に載置され固定されていることを特徴とする請求項１又は２に記載の建物。
【請求項４】
前記屋根ユニットは、平行弦トラスよりなる構造を有しており、
前記屋根部には複数の前記屋根ユニットが並べて設けられていることを特徴とする請求項１乃至３のいずれか一項に記載の建物。
【請求項５】
前記屋根部には複数の前記屋根ユニットが並べて設けられており、
前記複数の屋根ユニットにおいては、当該屋根ユニットの並び方向に並ぶ束材の長さがそれぞれ相違し、かつ前記並び方向に隣り合う各屋根ユニットで前記束材の長さが相違しており、
前記束材の長さの相違により前記屋根ユニットの並び方向に前記屋根部の傾斜が形成されていることを特徴とする請求項１乃至４のいずれか一項に記載の建物。
【請求項６】
前記中間部の外壁は、帳壁により構成されていることを特徴とする請求項１乃至５のいずれか一項に記載の建物。
【請求項７】
前記屋根部には複数の前記屋根ユニットが並べて設けられており、
前記第１構造部及び前記第２構造部において前記中間部の側の側面は、前記屋根ユニット同士の境界部に合う位置で段差状に形成されており、
前記第１構造部及び前記第２構造部における段差に合わせて、前記複数の屋根ユニットがずらし配置されていることを特徴とする請求項１乃至６のいずれか一項に記載の建物。
【発明の詳細な説明】
【技術分野】
【０００１】
本発明は、建物に関するものである。
【背景技術】
【０００２】
建物において間仕切の無い大きな空間を形成するための技術として、例えば特許文献１に記載されたユニット式業務施設建物が知られている。この特許文献１では、複数の部屋ユニット（又は１つの部屋ユニット）に隣接してユニット無し部屋空間を形成し、各部屋ユニットの上及びユニット無し部屋空間の上に複数の屋根ユニットを設置する構成としている。また、ユニット無し部屋空間の屋外に面する立面に、ユニット無し部屋空間の外壁となる外壁パネルを設置する構成としている。この場合特に、ユニット無し部屋空間では、複数の屋根ユニットが、部屋ユニットの並び方向（ユニット離間方向）に並べて配置されており、隣り合うユニット同士がボルト等により互いに連結されることにより、ユニット無し部屋空間の両側の部屋ユニットに架け渡して設けられている。上記のように複数の部屋ユニットを互いに離間させて配置することにより、建物としての構成の簡素化が可能となる。
【先行技術文献】
【特許文献】
【０００３】
【特許文献１】特開２００５−２８２０３８号公報
【発明の概要】
【発明が解決しようとする課題】
【０００４】
ところで、上記従来の建物では、ユニット無し部屋空間の屋根部分において、各屋根ユニットはユニット離間方向に直交する方向に延びるように配置され、互いに離間された一方の部屋ユニットから他方の部屋ユニットまでは屋根ユニット同士の連結により一繋ぎの屋根が形成されるようになっている。この場合、部屋ユニットの並び方向の幅を大きくしてユニット無し部屋空間に大空間を形成しようとすると、現実には、ユニット無し部屋空間に設けられた外壁により屋根ユニットの鉛直荷重を支えることが必要になると考えられる。
【０００５】
上記従来の建物では、例えば地震等により建物に水平力が作用した場合に、ユニット無し部屋空間の屋根部において水平力に抗する耐力が不足し、当該屋根部において破損等が生じることが懸念される。つまり、ユニット無し部屋空間の屋根部では、屋根ユニットが外壁により支持されることで鉛直荷重に抗する力は足りると考えられるが、水平力に抗する構造強度が不足し、強度上の支障が生じることが懸念される。
【０００６】
本発明は、上記事情に鑑みてなされたものであり、構成の簡素化を図りつつ、水平力に対する耐力を高めることができる建物を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物は、
互いに離間して配置され各々に屋内空間が形成される第１構造部（２１）及び第２構造部（２２）を有し、
それら各構造部の上面部には水平構面（Ｐ１）が形成されており、
前記第１構造部及び前記第２構造部の間となる中間部（２３）には、当該中間部の屋根部（４３）として、トラス構造を有し、前記各構造部の一方から他方に架け渡される屋根ユニット（５１）が設けられており、
前記屋根ユニットは、その両側の各端部が前記各構造部の水平構面の上に載置された状態で固定されていることを特徴とする。
【０００９】
上記構成では、第１構造部及び第２構造部の間の中間部の屋根部には、トラス構造を有する屋根ユニットが設けられており、これら各構造部及び屋根ユニットにより建物としての構造強度が確保されている。この場合、中間部において屋根ユニットの下方には、建物としての構造を設けなくてもよく、構成の簡素化が可能となる。また特に、屋根ユニットは、トラス構造を有し、その両側の各端部が各構造部の水平構面の上に載置された状態で固定されているため、中間部の屋根部に作用する水平力は屋根ユニットから各構造部の水平構面に伝わることになり、その水平力を各構造部の水平構面の全体で受けることができる。したがって、水平力に対する耐力を高めることができる。この場合、中間部において大空間を形成すべく第１構造部及び第２構造部の間の離間距離を拡げたとしても、十分な構造強度を持たせることが可能となる。
【００１０】
第２の発明は、前記屋根ユニットの上面及び下面のいずれかに水平構面（Ｐ２）が形成されており、前記各構造部の水平構面と前記屋根ユニットの水平構面とが連続していることを特徴とする。
【００１１】
上記構成によれば、各構造部の水平構面と屋根ユニットの水平構面とが連続していることにより、建物全体としての一層の強度アップを実現できる。なお、これらの各水平構面は、別の構面（例えば鉛直構面）を介して連続していてもよい。この場合特に、屋根ユニットの下面に水平構面が形成される構成では、各構造部の水平構面と屋根ユニットの水平構面とのそれぞれの高さ位置を合わせることができる。そのため、構造的に合理的な構成を実現できる。
【００１２】
第３の発明は、前記第１構造部及び前記第２構造部には、その周縁部となる位置に、鉛直荷重を支える鉛直構造部材（３１，３２）が設けられており、前記屋根ユニットにおいてその両側の各端部は前記鉛直構造部材の上に載置され固定されていることを特徴とする。
【００１３】
上記構成では、屋根ユニットは、その両側の各端部が、各構造部の鉛直構造部材の上に載置され固定されている。そのため、屋根部に作用する水平力を各構造部の側に伝える上で好適な構成を実現できる。
【００１４】
第４の発明は、前記屋根ユニットは、平行弦トラスよりなる構造を有しており、前記屋根部には複数の前記屋根ユニットが並べて設けられていることを特徴とする。
【００１５】
上記構成によれば、平行弦トラスよりなる複数の屋根ユニットを用いることにより、陸屋根タイプの屋根部を容易に形成できる。また、複数の屋根ユニットをトラックに荷積みして運搬する場合に好都合な構成となる。つまり、平行弦トラスで構造あれば、複数の屋根ユニットを平積みにして運搬できる。
【００１６】
第５の発明は、前記屋根部には複数の前記屋根ユニットが並べて設けられており、前記複数の屋根ユニットにおいては、当該屋根ユニットの並び方向に並ぶ束材（５４）の長さがそれぞれ相違し、かつ前記並び方向に隣り合う各屋根ユニットで前記束材の長さが相違しており、前記束材の長さの相違により前記屋根ユニットの並び方向に前記屋根部の傾斜が形成されていることを特徴とする。
【００１７】
上記構成によれば、複数の屋根ユニットによって屋根部に一連の傾斜を付与することができる。なお、陸屋根タイプの屋根部を有する建物では、複数の屋根ユニットでの束材の長さの相違により、屋根ユニットの並び方向に水勾配分の傾斜が形成されているとよい。
【００１８】
第６の発明は、前記中間部の外壁は、帳壁により構成されていることを特徴とする。
【００１９】
帳壁（カーテンウォール）は建物の構造耐力を負担しない壁である。上記のとおり第１構造部、第２構造部及び屋根ユニットにより建物としての構造強度が確保されていることにより、中間部については帳壁により外壁を構成してもよく、中間部において耐力壁が不要となる。したがって、やはり構成の簡素化を図ることができる。
【００２０】
第７の発明は、前記屋根部には複数の前記屋根ユニットが並べて設けられており、前記第１構造部及び前記第２構造部において前記中間部の側の側面は、前記屋根ユニット同士の境界部に合う位置で段差状に形成されており、前記第１構造部及び前記第２構造部における段差に合わせて、前記複数の屋根ユニットがずらし配置されていることを特徴とする。
【００２１】
本発明では、複数の屋根ユニットがそれぞれ、互いに離間する各構造部に架け渡して設けられることから、各屋根ユニットはその長手方向（両構造部の並び方向）に互いにずらした状態で配置できる。この場合、建物の設計に関する自由度を高めることができる。
【図面の簡単な説明】
【００２２】
【図１】建物の概要を示す正面図。
【図２】建物全体の骨組構造を示す正面図。
【図３】図２のＡ部における骨組構造を示す図。
【図４】建物全体の骨組構造を示す斜視図。
【図５】屋根ユニットの構成を示す斜視図。
【図６】中間部の水平構面における水平ブレースの設置箇所を示す平面図。
【図７】建物の水平構面の位置を示す図。
【図８】建物の水平構面の位置を示す図。
【図９】別の形態において建物全体の骨組構造を示す斜視図。
【図１０】別の形態において建物ユニットと屋根ユニットとの配置を示す平面図。
【発明を実施するための形態】
【００２３】
以下、本発明を具体化した一実施形態を図面に基づいて説明する。本実施形態の建物は、基本構造として鉄骨軸組工法よりなる構造部を有する建物であり、平屋建物として構築されている。本建物は、店舗や事務所などとして好適に利用できるものとなっている。図１は、本実施形態における建物の概要を示す正面図である。また、図２〜図４には建物の骨組構造を示しており、そのうち図２は建物全体の骨組構造を示す正面図であり、図３は図２のＡ部における骨組構造を示す図であり、図４は建物全体の骨組構造を示す斜視図である。なお図２では、屋根部の構成の一部を省略している。本実施形態では、便宜上、図４に示すように水平方向における２方向をｘ方向、ｙ方向として規定している。
【００２４】
建物１０は、大別して、基礎１１の上に構築される建物本体部１２と、その上に設けられる屋根部１３とを有している。建物本体部１２には、周囲が外壁１４により囲まれた屋内空間が形成されている。外壁１４には複数の箇所に開口部１５が設けられ、それら各開口部１５には窓開閉体（窓サッシ）や出入口ドア等の建具１６が取り付けられている。屋根部１３は陸屋根となっており、その上面には所定の水勾配が付与されている。以下、建物本体部１２と屋根部１３とを詳しく説明する。
【００２５】
＜建物本体部１２＞
建物本体部１２では、建物正面視において中央部とその両側とで構成が異なっており、その両側には鉄骨軸組工法よりなる第１構造部２１及び第２構造部２２がそれぞれ設けられている。つまり、これらの各構造部２１，２２はｘ方向に互いに離間して配置されている。そして、第１構造部２１及び第２構造部２２に挟まれた部分が、これら各構造部２１，２２とは構成が異なる中間部２３となっている。
【００２６】
第１構造部２１及び第２構造部２２の構成について説明する。なお、これら各構造部２１，２２は基本構成が同様であり、ここでは第１構造部２１について説明する。
【００２７】
図４に示すように、第１構造部２１は、基礎１１の上に立設された複数の柱３１と、それら各柱３１の上端部を連結するように設けられた大梁３２とを有している。例えば、柱３１は角形鋼よりなり、大梁３２はＨ形綱よりなる。柱３１には、第１構造部２１の耐力要素として複数（２本又は３本）の柱部とその間のラチス（補強材）とを有するラチス柱が含まれている。
【００２８】
大梁３２は、第１構造部２１の外周部に沿うようにして水平方向に四辺に設けられている。これらの大梁３２に囲まれた部位が第１構造部２１の水平構面Ｐ１を構成する部位であり、その水平構面Ｐ１には水平ブレース３３が設けられている。本実施形態では、第１構造部２１の上面部に、Ｘ状に交差させて設けられる２つの水平ブレース３３と中間梁３４とが設けられている。ただし、第１構造部２１の上面部に、Ｘ状の１つの水平ブレース３３が設けられる構成であってもよい。
【００２９】
なお、第１構造部２１と第２構造部２２とは基本構造は同じであるが、その大きさ（ｘ方向の幅）は相違していてもよい。
【００３０】
図２及び図３に示すように、各構造部２１，２２の外周部には、大梁３２と基礎１１との間に壁フレーム３６が設けられている。壁フレーム３６は、横フレーム材としての上下一対のランナ３７と縦フレーム材としてのスタッド３８とを有しており、これらのランナ３７及びスタッド３８が互いに連結されることで構成されている。ランナ３７及びスタッド３８は、例えば溝形状の軽量形綱よりなる。そして、壁フレーム３６に、図示しない壁面材が取り付けられている。各構造部２１，２２にはそれぞれ、建物１０の外周部となる三方の外壁１４の部分だけでなく、各構造部２１，２２と中間部２３との境界となる部分にも、ランナ３７及びスタッド３８よりなる壁フレーム３６が設けられ、その壁フレーム３６にも壁面材（図示しない間仕切用の面材）が取り付けられている（図３参照）。なお、図３には、建物本体部１２としての第１構造部２１と屋根部１３としての屋根ユニット５１とが一緒に図示されている。
【００３１】
第１構造部２１と第２構造部２２とは、中間部２３の側となる側面部が平行になるようにして、互いに離間して配置されている。本実施形態では、両構造部２１，２２の離間距離Ｌ１を約１０ｍとしている。この場合、離間距離Ｌ１は、各構造部２１，２２の左右方向の長さＬ２（ｘ方向の長さ）よりも大きいとよい。また、離間距離Ｌ１は、後述する屋根ユニット５１の大きさに基づき定められるとよい。具体的には、屋根ユニット５１がトラック等の運搬手段にて運搬されることを前提にした大きさである場合に、その屋根ユニット５１の架け渡しが可能となる距離となっている。
【００３２】
＜屋根部１３＞
屋根部１３は、各構造部２１，２２にそれぞれ設けられる屋根部分４１，４２と、中間部２３に設けられる屋根部分４３とを有している（図１参照）。この場合特に、中間部２３に設けられる屋根部分４３は、立体状のトラス構造を有する複数の屋根ユニット５１を、ｙ方向（すなわち構造部２１，２２の並び方向に直交する方向）に並べて設けることで構成されている。屋根ユニット５１は、平行弦トラスの構造を有しているが、子細にはその短手方向に水勾配分の傾斜が付与されている。各屋根ユニット５１は、その長手方向の両側の各端部が各構造部２１，２２の水平構面Ｐ１の上に載置された状態で、各構造部２１，２２に対して固定されている。これにより、各構造部２１，２２の一方から他方に架け渡されて屋根ユニット５１が設けられている。
【００３３】
屋根ユニット５１の構成について説明する。図５は、屋根ユニット５１の斜視図である。
【００３４】
屋根ユニット５１は、上下に対向配置された上弦材５２及び下弦材５３と、それら上弦材５２及び下弦材５３を連結する束材５４と、同じく上弦材５２及び下弦材５３を連結する斜材５５とを有している。ユニット長手方向及び短手方向に延びる上弦材５２及び下弦材５３のうち、ユニット長手方向に延びる上弦材５２及び下弦材５３は互いに平行に設けられ、ユニット短手方向に延びる上弦材５２及び下弦材５３は所定の水勾配分の傾斜が付与されつつ概ね平行に設けられている。また、束材５４は鉛直方向に延び、斜材５５は鉛直方向に対して斜めになる向きに延びるように設けられている。これらのトラス構成材は、それぞれ鋼材としての溝形鋼により形成され、溶接等により互いに連結されている。屋根ユニット５１は、製造工場にて製造され、トラックの荷台に搭載する等して建物施工現場に運搬される。
【００３５】
屋根ユニット５１において上弦材５２及び下弦材５３は、その長手方向の長さＬ３が両構造部２１，２２の離間距離Ｌ１よりも大きく、換言すればその離間距離Ｌ１に対して余剰となる余剰長さを有している（図２参照）。
【００３６】
図示は省略するが、屋根ユニット５１において上弦材５２の上には、例えば折板タイプの屋根材が固定される。この場合、屋根ユニット５１の製造工場において屋根ユニット５１に屋根材が一体化され、その状態で施工現場に輸送されるとよい。また、屋根ユニット５１の周囲には壁面材が固定される。なお、建物本体部１２と屋根部１３とで同様の壁面材が用いられてもよく、この場合に建物本体部１２と屋根部１３との境界部を跨いでこれらの両者一体に壁面材が取り付けられる構成であってもよい。
【００３７】
屋根部１３においては、複数の屋根ユニット５１が水勾配の向きを合わせてｙ方向に並べて設けられている。この場合、図３に示すように、各屋根ユニット５１は個々の高さ方向の寸法が相違しており、それにより屋根面が直線状に連続するようになっている。より詳しくは、各屋根ユニット５１は、屋根ユニット５１の並び方向（ユニット短手方向）に並ぶそれぞれの束材５４の長さが相違し、かつその並び方向に隣り合う各屋根ユニット５１で束材５４の長さが相違している。そして、各束材５４の長さの相違により、屋根ユニット５１の並び方向に一連となる所定の水勾配が形成されるようになっている。
【００３８】
屋根部１３において中間部２３の上方となる屋根部分４３には、複数の屋根ユニット５１により水平構面Ｐ２が構築されている。具体的には、各屋根ユニット５１において下弦材５３で囲まれた部位には水平耐力を高めるための補強構造として水平ブレースが設けられている（図５では省略）。図６は、中間部２３の水平構面Ｐ２における水平ブレースの設置箇所を示す平面図である。
【００３９】
図６に示すように、各屋根ユニット５１には、下弦材５３により四辺形に組まれた各部に水平ブレース５６が設けられている。この場合、屋根ユニット５１ごとに水平ブレース５６の取付位置が定められており、屋根面全体のバランスにより例えば図示のごとく水平ブレース５６が取り付けられている。なお、図６に示す水平ブレース５６の配置は一例であり、屋根面全体のバランスを保つことを前提に水平ブレース５６の設置数を図示よりも増やすことが可能である。
【００４０】
隣り合う屋根ユニット５１同士は図示しない連結金具を用いて連結されている。より具体的には、図６に示す複数の連結位置Ｂで、連結金具を用い、束材５４同士の連結により屋根ユニット５１同士が連結されている。
【００４１】
ここで、建物本体部１２の中間部２３における外壁の構成を説明する。中間部２３においては、外壁１４が帳壁（カーテンウォール）により構成されている。本実施形態では、図２に示すように、中間部２３に、各構造部２１，２２の大梁３２と同じ高さで梁材３９を設け、その梁材３９の下側に、帳壁を構成する壁フレーム３６と壁面材とを固定することとしている。この梁材３９は、屋根ユニット５１の下弦材５３に沿って設けられている。ただし、梁材３９を設けず、屋根ユニット５１の下側（下弦材５３）に壁フレーム３６を固定し、その壁フレーム３６に壁面材を取り付けることも可能である。
【００４２】
また、屋根部１３において、第１構造部２１及び第２構造部２２の屋根部分４１，４２は、中間部２３の屋根部分４３とは別の構成となっており、図４に示すように、複数の屋根ユニット６１を、ｘ方向（すなわち構造部２１，２２の並び方向）に並べて設けることで構成されている。本実施形態では、屋根ユニット６１として、中間部２３の屋根ユニット５１と同様に平行弦トラスの構造を採用している。そして、複数の屋根ユニット６１は、第１構造部２１及び第２構造部２２の上面にそれぞれ載置された状態で、各構造部２１，２２に対して固定されている。建物中央の屋根部分４３とその両側の屋根部分４１，４２とでは、屋根ユニット５１，６１の並び方向が互いに異なる（互いに直交する）ものとなっている。
【００４３】
なお、各構造部２１，２２の屋根部分４１，４２についてはその構成が任意であり、要は建物１０において所望の高さ位置に屋根面を形成するものであればよい。ゆえに、屋根ユニット６１として、トラス構造を有していない構成を用いることが可能である。
【００４４】
屋根ユニット６１では、その長手方向に所定の水勾配分の傾斜が付与されている。これにより、両構造部２１，２２の屋根部分４１，４２と中間部２３の屋根部分４３とで水勾配の向き及び角度を合わせることができる。
【００４５】
上記構成の建物１０では、第１構造部２１及び第２構造部２２の上面に水平ブレース３３により水平構面Ｐ１が形成されるとともに、中間部２３の屋根部分４３において複数の屋根ユニット５１により水平構面Ｐ２が形成されており、これらの水平構面Ｐ１，Ｐ２により、建物１０における水平耐力が発揮されるようになっている。この場合、図７に示すように、各水平構面Ｐ１，Ｐ２は水平方向に連続して設けられており、中間部２３の屋根部分４３に作用する水平力は屋根ユニット５１から各構造部２１，２２の水平構面Ｐ１に伝わることになる。これにより、その水平力を各構造部２１，２２の水平構面Ｐ１の全体で受けることができ、水平力に対する耐力を高めることができる。この場合、中間部２３において大空間を形成すべく第１構造部２１及び第２構造部２２の間の離間距離を拡げたとしても、十分な構造強度を持たせることが可能となる。また、建物１０において両構造部２１，２２と中間部２３とで水平構面Ｐ１，Ｐ２が同じ高さ位置で連続する。したがって、構造的に合理的な構成を実現できる。
【００４６】
上記構成の建物１０は、例えばコンビニエンスストアの店舗として用いることが考えられる。かかる場合には、第１構造部２１の屋内空間を事務所スペース、第２構造部２２の屋内空間を倉庫スペース、中間部２３の屋内空間を店舗スペースとして用いることが考えられる。
【００４７】
以上詳述した本実施形態によれば、以下の優れた効果が得られる。
【００４８】
両構造部２１，２２の間となる中間部２３の屋根部分４３には、トラス構造を有する屋根ユニット５１が設けられており、これら各構造部２１，２２及び屋根ユニット５１により建物としての構造強度が確保されている。この場合、中間部２３において屋根ユニット５１の下方には、建物としての構造を設けなくてもよく（構造耐力を付加しなくてもよく）、構成の簡素化が可能となる。また特に、屋根ユニット５１は、トラス構造を有し、その両側の各端部が各構造部２１，２２の水平構面Ｐ１の上に載置された状態で固定されているため、水平力に対する耐力を高めることができる。
【００４９】
各構造部２１，２２の水平構面Ｐ１と屋根ユニット５１の水平構面Ｐ２とを連続させるようにしたため、建物全体としての一層の強度アップを実現できる。この場合特に、水平構面Ｐ１，Ｐ２の高さ位置が合っているため、構造的に合理的な構成を実現できる。
【００５０】
各構造部２１，２２には、その周縁部となる位置、鉛直構造部材としての柱３１及び大梁３２が設けられており、屋根ユニット５１においてその両側の各端部は柱３１及び大梁３２の上に載置され固定されている。これにより、屋根部１３に作用する水平力を各構造部２１，２２の側に伝える上で好適な構成を実現できる。
【００５１】
平行弦トラスよりなる複数の屋根ユニット５１を用いることにより、陸屋根タイプの屋根部を容易に形成できる。また、複数の屋根ユニット５１をトラックに荷積みして運搬する場合に、複数の屋根ユニット５１を平積みして運搬することが可能となり、その運搬効率を考えた上でも好都合な構成となる。
【００５２】
各屋根ユニット５１においてそれぞれの束材５４の長さの相違により屋根ユニット５１の並び方向に水勾配（傾斜）を形成するようにした。この場合、各屋根ユニット５１の長手方向と水勾配の向きとが相違していても、複数の屋根ユニット５１によって屋根部１３に一連の水勾配を付与することができる。
【００５３】
中間部２３の外壁１４を帳壁により構成した。つまり、上記のとおり両構造部２１，２２及び屋根ユニット５１により建物としての構造強度が確保されていることにより、中間部２３については帳壁により外壁１４を構成してもよく、中間部２３において耐力壁が不要となる。したがって、やはり構成の簡素化を図ることができる。
【００５４】
［他の実施形態］
本発明は上記実施形態の記載内容に限定されず、例えば次のように実施されてもよい。
【００５５】
・上記実施形態では、屋根ユニット５１の下面側に水平構面Ｐ２を形成する構成としたが、これを変更し、屋根ユニット５１の上面側に水平構面Ｐ２を形成する構成としてもよい。各屋根ユニット５１においては、上弦材５２で囲まれた部位に補強構造として水平ブレースが設けられているとよい。具体的には、図８に示すように、屋根ユニット５１においてその上面側には水平構面Ｐ２’が形成され、各構造部２１，２２の側の側面部には鉛直構面Ｐ３が形成されている。この場合、水平構面Ｐ１，Ｐ２’と鉛直構面Ｐ３とが連続しており、中間部２３の屋根部分４３に作用する水平力は屋根ユニット５１から各構造部２１，２２の水平構面Ｐ１に伝わることになる。これにより、図７と同様に、水平力を各構造部２１，２２の水平構面Ｐ１の全体で受けることができ、水平力に対する耐力を高めることができる。
【００５６】
・上記実施形態では、屋根ユニット５１の水平構面Ｐ２を水平ブレース５６を取り付けることで形成したが、これに代えて、同水平構面Ｐ２を構造面材を取り付けることで形成する構成でもよい。各構造部２１，２２の水平構面Ｐ１についても同様である。
【００５７】
・第１構造部２１及び第２構造部２２が、鉄骨軸組工法以外の工法で構築されていてもよい。例えば、第１構造部２１及び第２構造部２２が、鉄骨ラーメン工法よりなる建物ユニットにより構築されていてもよい。具体的には、図９に示すように、各構造部２１，２２が、それぞれ２つずつの建物ユニット７１により構成されている。建物ユニット７１は、四隅の柱７２とその上下の天井大梁７３及び床大梁７４とを連結することで構築されている。柱７２は四角筒状の角形鋼よりなり、天井大梁７３及び床大梁７４は断面コ字状の溝形鋼よりなる。この場合、建物ユニット７１の上面部に水平構面が形成されている。そして、中間部２３においては、複数の屋根ユニット５１が、その長手方向の両側の各端部が各構造部２１，２２の建物ユニット７１に載置された状態で、同建物ユニット７１に対して固定されている。なお、各建物ユニット７１に、中間部２３以外の屋根部が工場にて先付けされ、その状態で施工現場に運搬される構成であってもよい。
【００５８】
又は、第１構造部２１及び第２構造部２２が、壁パネル工法により構築されていてもよい。この場合、各構造部２１，２２の上面部には構造面材が取り付けられ、その構造面材により水平構面が形成されるとよい。
【００５９】
・第１構造部２１及び第２構造部２２において中間部２３側の側面部（互いに対向する側面部）を、屋根ユニット５１同士の境界部に合う位置で段差状に形成することも可能である。例えば、各構造部２１，２２の構成要素として建物ユニットを用い、各建物ユニットにおいて中間部２３側の側面部を非連続に設けることで、各構造部２１，２２の側面部を段差状とする。そして、各構造部２１，２２における段差に合わせて、複数の屋根ユニット５１をずらし配置する。その構成を図１０に示す。図１０は、各構造部２１，２２の建物ユニットと中間部２３の屋根ユニット５１との配置を示す平面図である。図１０に示す構成では、例えば第１構造部２１、第２構造部２２がそれぞれ２つの建物ユニット８１により構築されている。建物ユニット８１の短手方向の幅は、屋根ユニット５１の短手方向の幅のｎ個分（ｎは自然数）となっている。各構造部２１，２２では、各建物ユニット８１の長手方向の寸法が異なっており、これにより各構造部２１，２２の側面部に段差が形成されている。
【００６０】
要するに、各屋根ユニット５１がそれぞれ、互いに離間する各構造部２１，２２に架け渡して設けられる構成であることから、各屋根ユニット５１はその長手方向（両構造部２１，２２の並び方向）に互いにずらした状態で配置できる。この場合、建物の設計に関する自由度を高めることができる。なお、同じサイズの建物ユニット８１を一部オフセットして配置することで、各構造部２１，２２の側面部に段差を形成する構成でもよい。
【００６１】
・建物１０の屋根形状は任意であり、各構造部２１，２２と中間部２３とで形状や高さを相違させる構成としたり、傾斜屋根にしたりすることも可能である。中間部２３の屋根部分４３を構成する屋根ユニット５１について、平行弦トラスに代えて、山形トラスやアーチ状トラスを用いることも可能である。
【００６２】
・中間部２３における空間は、外壁１４により囲まれた屋内空間とされる以外に、外壁１４により囲まれてない開放空間であってもよい。
【符号の説明】
【００６３】
１０…建物、２１…第１構造部、２２…第２構造部、２３…中間部、３１…柱（鉛直構造部材）、３２…大梁（鉛直構造部材）、４３…屋根部分、５１…屋根ユニット、５４…束材、５６…水平ブレース、Ｐ１，Ｐ２…水平構面。
【図１】
2014163173.tif 000003
【図２】
2014163173.tif 000004
【図３】
2014163173.tif 000005
【図４】
2014163173.tif 000006
【図５】
2014163173.tif 000007
【図６】
2014163173.tif 000008
【図７】
2014163173.tif 000009
【図８】
2014163173.tif 000010
【図９】
2014163173.tif 000011
【図１０】
2014163173.tif 000012